(57)【要約】      （修正有）【課題】収納する内容物を制御しながら振り出すことができ、振り出したのちにカートンを再封することが可能な充填・包装が可能な振り出しカートンの提供。【解決手段】ブランク１００を折り畳んで貼着した外左側面板１０５と内左側面板１０１と表面板１０４と右側面板１０３と裏面板１０２と外上面板１０８と内上面板１０７と外下面板１１０と内下面板１０９と裏面貼着板１０６とからなる長方体のカートン１０であり、カートン１０の左上方片隅部分に、外上面板１０８と表面板１０４と外左側面板１０５と裏面貼着板１０６とからなる開閉蓋部１３２を形成し、開封摘み部１２６によって開閉蓋部１３２を回転させてカートン１０を開封したとき、カートン１０の左上方片隅部分に、直角三角形の開口部１３４が開口し、この開口部１３４から内容物を振り出す。再封は、開閉蓋部１３２の係止突起部１２８を内上面板１０７の係止切込み部１３３に挿嵌させて係止する。【選択図】図１
2008150081.tif 000002
【特許請求の範囲】
【請求項１】
ブランクを折り畳んで貼着した外左側面板と内左側面板と表面板と右側面板と裏面板と外上面板と内上面板と外下面板と内下面板と裏面貼着板とからなる長方体のカートンであって、カートンの左上方片隅部分に、外上面板と表面板と外左側面板と裏面貼着板とからなる開閉蓋部を形成し、開閉蓋部に設けられた開封摘み部によって開閉蓋部を左側面側へ回転させてカートンを開封したときに、カートンの左上方片隅部分に、表面板と内左側面板と内上面板とから形成される直角三角形の開口部が開口し、この開口部から内左側面板と内上面板と裏面板からなる空間に溜まった内容物を振り出すことを特徴とする振り出しカートン。
【請求項２】
前記開口部から内容物を必要量だけ振り出してのち再封するときに、開口部を前記開閉蓋部で被って開閉蓋部に形成されている係止突起部を、内上面板に形成されている係止切込み部に挿嵌させて係止することを特徴とする請求項１記載の振り出しカートン。
【請求項３】
前記ブランクが、順次、内左側面板と裏面板と右側面板と表面板と外左側面と裏面貼着板とをそれぞれ縦の折り目線を介して連設し、内左側面板の上方にフラップを、裏面板の上方に内上面板を、裏面板の下方に内下面板を、右側面板の上方と下方にフラップを、表面板の上方に外上面板を、表面板の下方に外下面板を、外左側面の上方と下方にフラップを、裏面貼着板の上方右側に貼着片をそれぞれ横の折り目線を介して連設し、外上面板には、縦方向中央の右側所定位置に切込み線を設けて左向きの開封摘み部を形成し、この開封摘み部の切込み線の両端から上下方向に縦のミシン目線を設け、開封摘み部の対向所定位置に切込み線を設けて右向きの係止突起部を形成し、表面板には、右上隅部分に外上面板の縦のミシン目線の下端から外左側面板の右端に至る直角三角形状に斜めのミシン目線を設け、外左側面板には、表面板の斜めのミシン目線の下端にから裏面貼着板の左端に至る水平な横の折り目線を設け、裏面貼着板には、外左側面板の横の折り目線の右端から裏面貼着板の右上端に至る表面板の斜めのミシン目線と対向位置にある直角三角形状の斜めのミシン目線を設けて、外上面板の右側分部と表面板の右上隅部分と外左側面板の上端部分と裏面貼着板の上端部分とにより開閉蓋部を形成したことを特徴とする請求項１記載の振り出しカートン。
【発明の詳細な説明】
【技術分野】
【０００１】
本発明は、ガム、ラムネ、チョコレート加工品などの粒状もしくはタブレット状の商品を収納し、必要量だけ振り出したのちに、再封して繰り返して使用することができる振り出しカートンに関するものである。
【背景技術】
【０００２】
従来、振り出しカートンの構造については、数多くの発明や考案がなされており、側面板に振り出し口を設けたもの（例えば、特許文献１）、上面板に振り出し口を設けたもの（例えば、特許文献２）、また、表面板に振り出し口を設けたもの（例えば、特許文献３）などがあった。
【特許文献１】特開２０００−７２１３７号公報
【特許文献２】特開２０００−１８５７３４公報
【特許文献３】実開昭６３−１７７２２７号公報
【発明の開示】
【発明が解決しようとする課題】
【０００３】
しかしながら、上述した従来の振り出しカートンは、振り出し口を開口して収納する内容物を振り出したときに、振り出される内容物の量を制御することができずに、内容物が振り出し口から余分に又は少なく排出されることがあった。この内容物の排出量を制御するようにするためには、構造が非常に複雑となり、組み立てが難しくなったり、製造コストが高くなって、実用化することが難しかった。
【０００４】
本発明は、上述の従来の振り出しカートンの問題点を解決したものであり、収納する内容物を制御しながら振り出すことができ、また、振り出したのちにカートンを再封することが可能であり、また、通常の包装設備で高速な充填・包装が可能な振り出しカートンを提供するものである。
【課題を解決するための手段】
【０００５】
すなわち、本発明の第１の発明は、ブランクを折り畳んで貼着した外左側面板と内左側面板と表面板と右側面板と裏面板と外上面板と内上面板と外下面板と内下面板と裏面貼着板とからなる長方体のカートンであって、カートンの左上方片隅部分に、外上面板と表面板と外左側面板と裏面貼着板とからなる開閉蓋部を形成し、開閉蓋部に設けられた開封摘み部によって開閉蓋部を左側面側へ回転させてカートンを開封したときに、カートンの左上方片隅部分に、表面板と内左側面板と内上面板とから形成される直角三角形の開口部が開口し、この開口部から内左側面板と内上面板と裏面板からなる空間に溜まった内容物を振り出すことを特徴とする振り出しカートンである。
【０００６】
次に、本発明の第２の発明は、前記開口部から内容物を必要量だけ振り出してのち再封するときに、開口部を前記開閉蓋部で被って開閉蓋部に形成されている係止突起部を、内上面板に形成されている係止切込み部に挿嵌させて係止することを特徴とする第１の発明に記載の振り出しカートンである。
【０００７】
そして、本発明の第３の発明は、前記ブランクが、順次、内左側面板と裏面板と右側面板と表面板と外左側面と裏面貼着板とをそれぞれ縦の折り目線を介して連設し、内左側面
板の上方にフラップを、裏面板の上方に内上面板を、裏面板の下方に内下面板を、右側面板の上方と下方にフラップを、表面板の上方に外上面板を、表面板の下方に外下面板を、外左側面の上方と下方にフラップを、裏面貼着板の上方右側に貼着片をそれぞれ横の折り目線を介して連設し、外上面板には、縦方向中央の右側所定位置に切込み線を設けて左向きの開封摘み部を形成し、この開封摘み部の切込み線の両端から上下方向に縦のミシン目線を設け、開封摘み部の対向所定位置に切込み線を設けて右向きの係止突起部を形成し、表面板には、右上隅部分に外上面板の縦のミシン目線の下端から外左側面板の右端に至る直角三角形状に斜めのミシン目線を設け、外左側面板には、表面板の斜めのミシン目線の下端にから裏面貼着板の左端に至る水平な横の折り目線を設け、裏面貼着板には、外左側面板の横の折り目線の右端から裏面貼着板の右上端に至る表面板の斜めのミシン目線と対向位置にある直角三角形状の斜めのミシン目線を設けて、外上面板の右側分部と表面板の右上隅部分と外左側面板の上端部分と裏面貼着板の上端部分とにより開閉蓋部を形成したことを特徴とする第１の発明に記載の振り出しカートンである。
【発明の効果】
【０００８】
本発明の振り出しカートンは、外左側面板及び内左側面板と、表面板と、右側面板と、裏面板と、外上面板及び内上面板と、外下面板及び内下面板と、裏面貼着板とからなる長方体のカートンであり、カートンの左上方片隅部分に、外上面板と表面板と外左側面板と裏面貼着板とからなる開閉蓋部が形成されており、この開閉蓋部を、開封摘み部によって開閉蓋部を左側面側へ回転させると、外上面板と表面板と裏面貼着板に設けられたミシン目線が破断され、また、外左側面板に設けられた折り目線によって開閉蓋部が開封する。開閉蓋部が開封すると、カートンの左上方片隅部分に、表面板と内左側面板と内上面板とから形成される直角三角形の開口部が開口し、この開口部の内側に、内左側面板と内上面板と裏面板からなる空間が存在している。カートンを、開口部を下方上向きにするようにして傾斜させて、開口部の内側の空間に溜まった収納する内容物を、開口部から制御しながら振り出すことが出来るため、必要量だけ内容物を振り出すことができ、余分に又は少なく内容物を振り出すことを防ぐことができる。
【０００９】
また、本発明の振り出しカートンは、内容物を必要量だけ振り出したのちに、開閉蓋部を外上面板上に回転させ開口部を被い、開閉蓋部の係止突起部を内上面板の係止切込み部に挿嵌させて、カートンを再封することができる。
【００１０】
また、本発明の振り出しカートンは、ブランクを折り畳んで貼着したものであり、まず、ブランクをサック貼りしてスリーブを作製し、このスリーブを通常の包装設備に装填することにより、高速な充填・包装が可能となる。
【発明を実施するための最良の形態】
【００１１】
次に、本発明の振り出しカートンの一実施形態について、図を用いて詳細に説明する。
【００１２】
図１は、本実施形態の振り出しカートンの開封前、開口時、再封時の斜視図であり、図２は、そのカートンのブランクの展開平面図であり、図３は、ブランクのサック貼り手順を示し、図４は、カートンの上面の貼着手順を示すものである。
【００１３】
本実施形態の振り出しカートンは、図２に示すブランク（１００）を折り畳んで貼着した図１（ａ）に示す長方体のカートン（１０）である。この振り出しカートン（１０）は、図１（ａ）に示すように、左上方片隅部分に開閉蓋部（１３２）が形成されており、この開閉蓋部（１３２）には開封摘み部（１２６）が設けられており、この開封摘み部（１２６）によって、図１（ｂ）に示すように、外上面板（１０８）と表面板（１０４）と外左側面板（１０５）と裏面貼着板（１０６）とからなる開閉蓋部（１３２）を左側面側へ回転させると、表面板（１０４）と内左側面板（１０１）と内上面板（１０７）とから形成された直角三角形の開口部（１３４）が開口する。カートンを開口部を下方上向きにするように傾斜させ、内左側面板（１０１）と内上面板（１０７）と裏面板（１０２）からなる空間に溜まった収納する内容物を開口部（１３４）から必要量だけ振り出して使用する。内容物を振り出したのち、図１（ｃ）に示すように、開閉蓋部（１３２）を外上面板（１０８）上に回転させ開口部を被い、開閉蓋部（１３２）の係止突起部（１２８）を内上面板（１０７）の係止切込み部（１３３）に挿嵌させて（矢印で示す）係止して再封する。
【００１４】
次に、本実施形態の振り出しカートンを組み立てるブランク（１００）は、カートンの使用目的に合わせた坪量の板紙からなり、図２に示すように、内左側面板（１０１）の右側に、縦の折り目線（１１７）を介して裏面板（１０２）を連設し、裏面板（１０２）の右側に、縦の折り目線（１１８）を介して右側面板（１０３）を連設し、右側面板（１０３）の右側に、縦の折り目線（１１９）を介して表面板（１０４）を連設し、表面板（１０４）の右側に、縦の折り目線（１２０）を介して外左側面板（１０５）を連設し、外左側面板（１０５）の右側に、縦の折り目線（１２１）を介して裏面貼着板（１０６）を連設し、内左側面板（１０１）の上方に、横の折り目線（１２２）を介してフラップ（１１１）を連設し、裏面板（１０２）の上方に、横の折り目線（１２２）を介して内上面板（１０７）を連設し、右側面板（１０３）の上方に、横の折り目線（１２２）を介してフラップ（１１２）を連設し、表面板（１０４）の上方に、横の折り目線（１２２）を介して外上面板（１０８）を連設し、外左側面板（１０５）の上方に、横の折り目線（１２２）を介してフラップ（１１３）を連設し、裏面貼着板（１０６）の上方右側に、横の折り目線（１２２）を介して貼着片（１１６）を連設し、裏面板（１０２）の下方に、横の折り目線（１２３）を介して内下面板（１０９）を連設し、右側面板（１０３）の下方に、横の折り目線（１２３）を介してフラップ（１１４）を連設し、表面板（１０４）の下方に、横の折り目線（１２３）を介して外下面板（１１０）を連設し、外左側面板（１０５）の下方に、横の折り目線（１２３）を介してフラップ（１１５）を連設し、外上面板（１０８）には、縦方向中央の右側所定位置に切込み線（１２５）を設けて左向きの開封摘み部（１２６）を形成し、この開封摘み部（１２６）の切込み線（１２５）の両端から上下方向に縦のミシン目線（１２４）を設け、開封摘み部の対向所定位置に切込み線（１２７）を設けて右向きの係止突起部（１２８）を形成し、表面板（１０４）には、右上隅部分に外上面板（１０８）の縦のミシン目線（１２４）の下端から外左側面板（１０５）の右端に至る直角三角形状に斜めのミシン目線（１３０）を設け、外左側面板（１０５）には、表面板（１０４）の斜めのミシン目線（１３０）の下端から裏面貼着板（１０６）の左端に至る水平な横の折り目線（１２９）を設け、裏面貼着板（１０６）には、外左側面板（１０５）の横の折り目線（１２９）の右端から裏面貼着板（１０６）の右上端に至る表面板（１０４）の斜めのミシン目線（１３０）と対向位置にある直角三角形状の斜めのミシン目線（１３１）を設けて、外上面板（１０８）の右側分部と表面板（１０４）の右上隅部分と外左側面板（１０５）の上端部分と裏面貼着板（１０６）の上端部分とにより開閉蓋部（１３２）を形成するものである。
【００１５】
なお、ブランクのサック貼りは、まず、図３（ａ）に示すように、折り目線（１１８）を谷折りして、内左側面板（１０１）と裏面板（１０２）を右側面板（１０３）と表面板（１０４）上に折り畳み、次に、図３（ａ）に示す折り目線（１２０）を谷折りして、図３（ｃ）に示すように、外左側面板（１０５）と裏面貼着板（１０６）を内左側面板（１０１）と裏面板（１０２）上に折り畳み、そして、裏面貼着板（１０６）の斜めのミシン目線（１３１）より下方の裏面を裏面板（１０２）の表面に貼着し、また、外左側面板（１０５）の横の折り目線（１２９）より下方の裏面を内左側面板（１０１）の表面に貼着して、スリーブを作製するものである。
【００１６】
また、包装設備におけるカートンの上面の貼着手順は、まず、図４（ａ）に示すように
、表面板（１０４）に対して左側のフラップ（１１１）と右側のフラップ（１１２）を内側に折り曲げて、次に、図４（ｂ）に示すように、それらのフラップの表面に、内上面板（１０７）を折り曲げてその裏面を貼着し、次に、内上面板（１０７）の表面に、図４（ｃ）に示すように、フラップ（１１３）を折り曲げ重ね、次に、このフラップ（１１３）の表面に、図４（ｄ）に示すように、貼着片（１１６）を折り曲げてその裏面を貼着し、次に、外上面板（１０８）を折り曲げ重ねて、外上面板（１０８）の開閉蓋部（１３２）の裏面を図４（ｃ）に示すフラップ（１１３）と貼着片（１１６）の表面に貼着し、同時に、開封摘み部（１２６）と係止突起部（１２８）以外の裏面を、図４（ｃ）に示す内上面板（１０７）の表面を貼着するものである。
【図面の簡単な説明】
【００１７】
【図１】本発明の一実施形態の振り出しカートンの斜視図であり、（ａ）は、開封前の状態を示し、（ｂ）は、開口したときの状態を示し、（ｃ）は、再封止するときの状態を示す。
【図２】図１の振り出しカートンのブランクの展開平面図である。
【図３】図３に示すブランクのサック貼り手順を示し、（ａ）は、第１の折り畳み位置と方向を示し、（ｂ）は、第２の折り畳み位置と方向を示し、（ｃ）は、サック貼りしたスリーブの平面図である。
【図４】図１の振り出しカートンの上面の貼着手順を示し、（ａ）〜（ｅ）の順に貼着する。
【符号の説明】
【００１８】
１０……カートン
１００……ブランク
１０１……内左側面板
１０２……裏面板
１０３……右側面板
１０４……表面板
１０５……外左側面板
１０６……裏面貼着板
１０７……内上面板
１０８……外上面板
１０９……内下面板
１１０……外下面板
１１１，１１２，１１３，１１４，１１５……フラップ
１１６……裏面貼着片
１１７，１１８，１１９，１２０，１２１、１２２，１２３，１２９……折り目線
１２４，１３０，１３１……ミシン目線
１２５，１２７……切込み線
１２６……開封摘み部
１２８……係止突起部
１３２……開閉蓋部
１３３……係止切込み部
１３４……開口部
２００……スリーブ
【図１】
2008150081.tif 000003
【図２】
2008150081.tif 000004
【図３】
2008150081.tif 000005
【図４】
2008150081.tif 000006